(57)【要約】【課題】ロール状に巻上げたペーパーを最終端まで使用することを可能にする芯なしロールペーパーの製造方法を提供する。【解決手段】ペーパー２を巻上げてロール状のロールペーパー１に形成する第１工程と、接着剤を噴出する挿入部を前記ロールペーパー１の中心孔３へ挿入する第２工程と、前記中心孔３の所定位置へ前記接着剤を付着させる第３工程と、前記接着剤を付着させた部位に加熱乾燥を行い、前記中心孔３の両端３ａ，３ｂを硬化させる第４工程とを備え、前記第３工程は、前記ロールペーパー１を使用するとき前記ロール状に巻上げたペーパー２を剥離できる程度の接着力を有する前記接着剤を、前記中心孔３の延設両端近傍に付着させ、前記第４工程は、前記中心孔３に付着させた接着剤が前記中心孔３の所定位置から広がる前に該接着剤を乾燥させることを特徴とする。【選択図】図１
2018139723.tif 000002
【特許請求の範囲】
【請求項１】
ペーパーを巻上げてロール状のロールペーパーに形成する第１工程と、
接着剤を噴出する挿入部を前記ロールペーパーの中心孔へ挿入する第２工程と、
前記中心孔の所定位置へ前記接着剤を付着させる第３工程と、
前記接着剤を付着させた部位に加熱乾燥を行い、前記中心孔の両端を硬化させる第４工程と、
を備え、
前記第３工程は、
前記ロールペーパー使用時に前記ロール状に巻上げたペーパーを剥離できる程度の接着力を有する前記接着剤を、前記中心孔の延設両端近傍に付着させ、
前記第４工程は、
前記中心孔に付着させた接着剤が前記中心孔の所定位置から広がる前に該接着剤を乾燥させる、
ことを特徴とするロールペーパー製造方法。
【請求項２】
前記第２工程は、
前記挿入部を前記中心孔の延設両端側から中央側へ向かって挿入し、前記中心孔の両端部分の孔径を所定大きさへ広げ、
前記第３工程は、
前記中心孔の孔径を広げた部分に前記接着剤を付着させる、
ことを特徴とする請求項１に記載のロールペーパー製造方法。
【請求項３】
前記第３工程は、
前記中心孔の延設両端側から中央側へ向かって前記接着剤の付着量を減少させ、
前記第４行程は、
前記中心孔の両端が最も硬化するように加熱乾燥させる、
ことを特徴とする請求項１または２に記載のロールペーパー製造方法。
【発明の詳細な説明】
【技術分野】
【０００１】
この発明は、厚紙などの芯材を備えることなく巻上げられた芯なしロールペーパーの製造方法に関するものである。
【背景技術】
【０００２】
例えば、トイレットペーパーロールのように薄い紙材（ペーパー）をロール状に巻上げる場合には、厚紙などを用いて略筒状に形成された芯材を用意し、この芯材にペーパーを巻き取って製造している。また、トイレットペーパーロールを使い切った場合に、残った芯材がごみとなることから、芯材を用いることなく形成された芯なしトイレットペーパーロールなどがある。
例えば、芯なしトイレットペーパーロールを製造するときには、ペーパーの巻始め端に接着力の弱い接着剤等を吹き付けて巻取軸に巻き付け、順次、ペーパーを巻き取ってロール状に形成させている（例えば、特許文献１参照）。具体的には、芯なしトイレットペーパーロールを製造するとき、ペーパーの先端部を巻取りシャフトに巻き付け、さらに、先端部に連なる５、６周分の巻き取りを行う間、この部分に接着剤等を吹き付けて筒状となるように接着させている。また、例えば、上記のようにペーパーを巻き取るときに巻取軸へ加熱を施し、吹き付けた接着剤等を乾燥させている。
【０００３】
また、ペーパーを巻軸へ巻取るとき、当該ペーパーの巻上げ外周側に接するライディングロールの軸部に、接着液が滲み出る孔部を設けた芯なしのトイレットペーパーロール製造装置がある（例えば、特許文献２参照）。
この装置は、ペーパーの巻始め工程において、ライディングロールの軸部内に接着液を吸引させ、当該軸部表面に接着液を滲み出させてライディングロールと巻軸との間に挟まれたペーパーに塗布し、このペーパーを巻軸に巻上げてロール状に製造している。具体的には、ライディングロールは、上記のように孔部を設けた軸部に、スポンジを厚肉円筒状に形成したロール部を外嵌させている。ロール部の内壁部と外壁部との間には、微小な毛細管が形成されており、軸部の表面に滲み出させた接着液は毛細管を介してロール部表面に到達する。巻軸とライディングロールに挟まれたペーパーは、ロール部表面に滲み出した接着液が付与され、トイレットペーパーロールの中心が固められる。
【先行技術文献】
【特許文献】
【０００４】
【特許文献１】特開平６−１９９４５２号公報
【特許文献２】特開平９−２１６７５５号公報
【発明の概要】
【発明が解決しようとする課題】
【０００５】
従来の芯なしロールペーパーは上記のように製造されているので、ペーパーの巻始め部分が硬化して筒状となる。そのため、ロールペーパーの使い切り時期が近付くと、例えば当該ロールペーパーを保持しているホルダーから引き出すことが困難になり、芯材のないロールペーパーであっても全てを使い切ることができず、ロール中心の硬化した部分が残ってしまうという問題点があった。
【０００６】
本発明は、上記の課題に鑑みなされたもので、ロール状に巻上げたペーパーを最終端まで使用することを可能にする芯なしロールペーパーの製造方法を提供することを目的とする。
【課題を解決するための手段】
【０００７】
この発明に係る芯なしロールペーパー製造方法は、ペーパーを巻上げてロール状のロールペーパーに形成する第１工程と、接着剤を噴出する挿入部を前記ロールペーパーの中心孔へ挿入する第２工程と、前記中心孔の所定位置へ前記接着剤を付着させる第３工程と、
前記接着剤を付着させた部位に加熱乾燥を行い、前記中心孔の両端を硬化させる第４工程とを備え、前記第３工程は、前記ロールペーパー使用時に前記ロール状に巻上げたペーパーを剥離できる程度の接着力を有する前記接着剤を、前記中心孔の延設両端近傍に付着させ、前記第４工程は、前記中心孔に付着させた接着剤が前記中心孔の所定位置から広がる前に該接着剤を乾燥させることを特徴とする。
【０００８】
また、前記第２工程は、前記挿入部を前記中心孔の延設両端側から中央側へ向かって挿入し、前記中心孔の両端部分の孔径を所定大きさへ広げ、前記第３工程は、前記中心孔の孔径を広げた部分に前記接着剤を付着させることを特徴とする。
【０００９】
また、前記第３工程は、前記中心孔の延設両端側から中央側へ向かって前記接着剤の付着量を減少させ、前記第４行程は、前記中心孔の両端が最も硬化するように加熱乾燥させることを特徴とする。
【発明の効果】
【００１０】
この発明によれば、出荷搬送等における包装状態では容易に形崩れせず、使用時には芯材等を残すことなくロールペーパーを使い切ることができる。
【図面の簡単な説明】
【００１１】
【図１】本発明の実施例１による芯なしロールペーパー製造方法を用いて製造された芯なしトイレットペーパーを示す概観図である。
【図２】図１に示した芯なしロールペーパーを製造する工程を示す説明図である。
【図３】図１に示した芯なしロールペーパーを製造する工程を示す説明図である。
【図４】本発明の実施例２による芯なしロールペーパー製造方法を用いて芯なしロールペーパーを製造する工程を示す説明図である。
【図５】実施例２による芯なしロールペーパー製造方法を用いて芯なしロールペーパーを製造する工程を示す説明図である。
【発明を実施するための形態】
【００１２】
以下、この発明の実施の一形態を説明する。
（実施例１）
図１は、本発明の実施例１による芯なしロールペーパー製造方法を用いて製造された芯なしトイレットペーパーを示す概観図である。図示したロールペーパー１は、厚紙等を用いた芯材を備えることなく、ロール状の両側方を繋ぐ貫通孔の中心孔３を形成させてペーパー２を巻上げ製造した芯なしトイレットペーパーである。なお、中心孔３の内径は、一般的な厚紙製の芯材と同様な大きさを有する。
中心孔３の両端となる孔端部３ａ，３ｂ（開口部）は、後述するように接着剤等が噴霧され、適度に硬化されている。なお、孔端部３ａ，３ｂは、ロールペーパー１からペーパー２が引き出されたとき、巻上げられて層状となっているペーパー２が裂けずに剥離する程度に硬化されている。
【００１３】
図２および図３は、図１に示した芯なしロールペーパーを製造する工程を示す説明図である。
原反ロール等から得られるペーパーを所定の製造装置（図示省略）を用いて、芯なしの状態で巻上げてトイレットペーパーロール（ロールペーパー１）を製造する。このとき、必要に応じて水や極めて接着力の弱い接着液等を用いて、好ましくは水や接着液等を用いることなくペーパー２を巻上げてロール状に形成する。ここで形成したロールペーパー１は、ペーパー２を巻上げただけなので十分な剛性を有する部分がなく、ロールペーパー１、もしくは中心孔３に変形が生じ易く、形崩れを起こし易い状態である。
この状態のロールペーパー１を、所定の製造装置（図示省略）等に設置し、図２に示したように、当該製造装置に備えられた、先端を封鎖された管状の接着剤噴射部１０をロールペーパー１の中心孔３へ挿入する。
【００１４】
接着剤噴射部１０は、ロールペーパー１のロール周壁両側端、即ち中心孔３の両端から各々挿入端部１０ａおよび挿入端部１０ｂを挿入するように構成されており、これら挿入端部１０ａ，１０ｂを移動させる機構部（図示省略）を備えている。
挿入端部１０ａ，１０ｂは、相互に対向配置されている。また、先端部分を封鎖した管状に形成されており、管内孔から当該挿入端部１０ａ，１０ｂの各表面へ貫通する噴出孔を複数設置している。即ち、接着剤噴射部１０は、図示を省略した製造装置に備えられたポンプ等の送出手段によって、当該接着剤噴射部１０の管内孔へ送り込まれた接着剤等を、挿入端部１０ａ等の表面へ（上記の各噴出孔から）噴出するように構成されている。
挿入端部１０ａ，１０ｂは、例えば、ロールペーパー１の支持固定に使用する、一般的なワンタッチホルダーに備えられた可倒式の支持部材と同様な長さを有している。
換言すると、挿入端部１０ａ，１０ｂは、ワンタッチホルダー等にロールペーパー１を装着したとき、中心孔３内部へ挿入されたワンタッチホルダーの支持部材が当接する部分へ接着剤等を噴出することができる長さを有し、中心孔３の延設方向中央部分、例えばロールペーパー１のロール軸（ペーパー２の幅方向）において中心近傍の部分には接着剤等を付着させないように構成されている。
【００１５】
前述の製造装置の所定位置へ設置されたロールペーパー１は、中心孔３の孔端部３ａ側から接着剤噴射部１０の挿入端部１０ａが挿入され、中心孔３の孔端部３ｂ側から接着剤噴射部１０の挿入端部１０ｂが挿入される。
中心孔３へ挿入された挿入端部１０ａ，１０ｂは、例えば、前述のようにワンタッチホルダーの支持部材と同様な位置（中心孔３の奥側）まで挿入され、接着剤等を噴出させる。
接着剤等を中心孔３の孔内壁へ噴出するとき、例えば、孔端部３ａ，３ｂにおいて接着剤等の付着量を多くし、中心孔３の奥側（中央側）へ向かって徐々に接着剤等の付着量を減少させ、孔端部３ａ，３ｂの開口端部において最も接着力が強く、中心孔３の中央側へいく程、接着力が弱くなって皆無になるようにしてもよい。
このように接着剤等の付着量を調整することにより、孔端部３ａ，３ｂ近傍において巻上げられているペーパー２が最も硬くなり、ロールペーパー１もしくはペーパー２の幅方向における中央部分では、接着剤等による硬化が生じないようにし、中心孔３近傍の巻上げ部分においてもペーパー２の剥離が容易になるように硬化部位を形成させてもよい。
【００１６】
中心孔３の所定位置へ接着剤等を噴射した後、挿入端部１０ａ，１０ｂを各々中心孔３から抜き出し、図３に示したように、製造装置（図示省略）に備えられた加熱部１１を孔端部３ａ，３ｂに挿入する。
加熱部１１は、例えば、内部に発熱体を備え、また、先端をテーパー状に細く形成させた加熱先端部１１ａ，１１ｂを有している。加熱先端部１１ａ，１１ｂは、相互に対向配置されており、前述の挿入端部１０ａおよび挿入端部１０ｂと同様に、中心孔３へ挿入ならびに抜き出しを可能にする機構部（図示省略）を備えて構成されている。また、加熱先端部１１ａ，１１ｂは、前述の挿入端部１０ａ，１０ｂと概ね同様な長さを有しており、例えば、挿入端部１０ａ，１０ｂによって接着剤等を付着させた部分に直接接触しない形状ならびに大きさに形成されている。
【００１７】
加熱部１１は、接着剤噴射部１０が中心孔３の所定位置に接着剤等を付着させた後、例えば、直ちに中心孔３に挿入され、中心孔３の所定位置に付着させた接着剤等が紙繊維に浸透することにより、必要以上に巻上げ周面に沿って広がらないように、また、多くの巻回層に広がらないように上記の部位を速やかに乾燥させ、また、所定部分を硬化させる。硬化させる部分としては、例えば、ロールペーパー１のロール側方部分において、ロール形状を維持する適度な剛性（ロール軸方向の剛性、中心孔３の孔径を維持する剛性等）が生じ、また、例えば、ワンタッチホルダーなどに設置したとき、変形することなく容易に回転可能となる孔端部３ａ，３ｂ近傍の孔内壁部分などである。
【００１８】
なお、加熱先端部１１ａ，１１ｂは、前述のようにテーパー状に形成されていることから、中心孔３へ挿入したときには、孔端部３ａ，３ｂ開口端部近傍において最も接近し、中心孔３中央側では離間して配置される。そのため、孔端部３ａ，３ｂ開口端部近傍においては強く加熱乾燥が行われ、中心孔３中央側では比較的弱く加熱乾燥が行われる。中心孔３もしくはロールペーパー１に接触することによって焦げなどが生じることのないように加熱温度ならびに乾燥時間等を調整制御する。また、例えば前述のように、中心孔３の孔端部３ａ，３ｂにおいて接着剤等を最も多く付着させ中央側へ向かって付着量を減少させたときには、特に、加熱部１１の加熱動作を制御し、孔端部３ａ，３ｂの開口端部において最も加熱乾燥を強く行い、中心孔３中央側へ向かって加熱乾燥の強さを弱めるようにしてもよい。
このように加熱部１１を用いて中心孔３の所定位置のみの乾燥硬化を行い、ロールペーパー１に形崩れ等が起きない程度の剛性を生じさせる。
【００１９】
（実施例２）
図４および図５は、本発明の実施例２による芯なしロールペーパー製造方法を用いて芯なしロールペーパーを製造する工程を示す説明図である。実施例２のロールペーパー１ａは、中心孔として細穴（図示省略）を有する芯なしトイレットペーパーであり、例えば、専用の細芯を備えたホルダー等へ設置できるように製造されたものである。なお、ロールペーパー１ａについても、前述のロールペーパー１と同様に厚紙等を用いた芯材を備えておらず、細穴の中心孔には、必要に応じて水や極めて接着力の弱い接着液等を使用し、好ましくは水や接着液等を使用せずにペーパー２を巻上げたものである。
上記のロールペーパー１ａを所定の製造装置（図示省略）に設置し、図４に示したようにし、当該製造装置に備えられた、接着剤噴射部２０をロールペーパー１ａの細孔（中心孔）へ挿入する。
【００２０】
接着剤噴射部２０は、前述の接着剤噴射部１０と同様に、先端を封鎖された管状に形成されたもので、ロールペーパー１ａのロール周壁両側端、即ち細穴中心孔の両端から各々挿入端部２０ａおよび挿入端部２０ｂを挿入するように構成されており、これら挿入端部２０ａ，２０ｂを移動させる機構部（図示省略）を備えている。
また、接着剤噴射部２０は、管内孔から当該挿入端部２０ａ，２０ｂの各表面へ貫通する噴出孔を複数設置している。即ち、接着剤噴射部２０は、図示を省略した製造装置に備えられたポンプ等の送出手段によって、当該接着剤噴射部２０の管内孔へ送り込まれた接着剤等を、挿入端部２０ａ等の表面へ（上記の各噴出孔から）噴出するように構成されている。
【００２１】
挿入端部２０ａ，２０ｂは、例えば、ロールペーパー１ａの支持固定に使用する、一般的なワンタッチホルダーに備えられた可倒式の支持部材と同様な長さを有している。
また、挿入端部２０ａ，２０ｂは、ロールペーパー１ａの細穴の内径を所定の大きさに広げて、例えば、丸孔状に形成して中心孔４ａ，４ｂを各々形成させ、中心孔４ａ，４ｂの各内壁部に接着剤を付着させるように構成されている。
換言すると、挿入端部２０ａ，２０ｂは、ワンタッチホルダー等にロールペーパー１ａを装着したとき、少なくとも、ワンタッチホルダーの支持部材を挿入することができる奥行きの中心孔４ａ，４ｂを形成する長さであって、ワンタッチホルダーの支持部材が当接する部分へ接着剤等を噴出することができる長さを有している。
【００２２】
前述の製造装置の所定位置へ設置されたロールペーパー１ａは、中心孔４ａ側から接着剤噴射部１０の挿入端部２０ａが挿入され、中心孔４ｂ側から接着剤噴射部１０の挿入端部２０ｂが挿入される。
中心孔４ａ，４ｂへ各々挿入された挿入端部１０ａ，１０ｂは、例えば、前述のようにワンタッチホルダーの支持部材と同様な位置まで挿入され、接着剤等を噴出させる。
接着剤等を中心孔４ａ，４ｂの内部へ噴出するとき、例えばロールペーパー１ａの側端部（中心孔４ａ，４ｂの開口部）において接着剤等の付着量を多くし、中心孔４ａ，４ｂの各奥側（ロールペーパー１の中央側）へ向かって徐々に接着剤等の付着量を減少させ、中心孔４ａ，４ｂの各奥側へいく程、接着力が弱くなって皆無になるようにしてもよい。
このように接着剤等の付着量を調整することにより、ロールペーパー１ａ側端近傍において、巻上げられているペーパー２が最も硬くなり、ロールペーパー１ａの幅方向における中央部分では、接着剤等による硬化が生じないようにし、当該ロールペーパー１ａのロール終端（中心孔４ａ，４ｂ）近傍においてもペーパー２の剥離が容易になるように硬化部位を形成させてもよい。
【００２３】
中心孔４ａ，４ｂの所定位置へ接着剤等を噴射した後、挿入端部２０ａ，２０ｂを各々中心孔４ａ，４ｂから抜き出し、図５に示したように、製造装置（図示省略）に備えられた加熱部２１を中心孔４ａ，４ｂに挿入する。
加熱部２１は、例えば、前述の加熱部１１と同様に、内部に発熱体を備え、また、先端をテーパー状に細く形成させた加熱先端部２１ａ，２１ｂを有している。加熱先端部２１ａ，２１ｂは、相互に対向配置されており、それぞれ中心孔４ａ，４ｂへ挿入ならびに抜き出しを可能にする機構部（図示省略）を備えて構成されている。また、加熱先端部２１ａ，２１ｂは、前述の挿入端部２０ａ，２０ｂと概ね同様な長さを有しており、例えば、挿入端部２０ａ，２０ｂによって接着剤等を付着させた部分に直接接触しない形状ならびに大きさに形成されている。
【００２４】
加熱部２１は、接着剤噴射部２０が中心孔４ａ，４ｂの所定位置に接着剤等を付着させた後、例えば、直ちに中心孔４ａ，４ｂに挿入され、中心孔４ａ，４ｂの所定位置に付着させた接着剤等が紙繊維に浸透することにより、必要以上に巻上げ周面に沿って広がらないように、また、多くの巻回層に広がらないように上記の部位を速やかに乾燥させ、また所定部分を硬化させる。硬化させる部分としては、例えばロールペーパー１ａのロール側方部分において、ロール形状を維持する適度な剛性（ロール軸方向の剛性、中心孔４ａ，４ｂの孔径を維持する剛性等）が生じ、また、例えば、ワンタッチホルダーなどに設置したとき、変形することなく容易に回転可能となる中心孔４ａ，４ｂの孔内壁部分などである。
【００２５】
なお、加熱先端部２１ａ，２１ｂは、前述のようにテーパー状に形成されていることから、中心孔４ａ，４ｂへ各々挿入したときには、中心孔４ａ，４ｂの各開口端部近傍において最も接近し、中心孔４ａ，４ｂの各奥側においては離間して配置される。そのため、中心孔４ａ，４ｂの各開口端部近傍においては強く加熱乾燥が行われ、中心孔４ａ，４ｂの各奥側では比較的弱く加熱乾燥が行われる。中心孔４ａ，４ｂもしくはロールペーパー１ａに接触することによって焦げなどが生じることのないように加熱温度ならびに乾燥時間等を調整制御する。また、前述のように、中心孔４ａ，４ｂの開口端部において接着剤等を最も多く付着させ、ロールペーパー１ａもしくはペーパー２の幅方向中央側へ向かって付着量を減少させたときには、特に、加熱部２１の加熱動作を制御し、中心孔４ａ，４ｂの開口端部側において最も加熱乾燥を強く行い、中心孔４ａ，４ｂ奥側（中央側）へ向かって加熱乾燥の強さを弱めるようにしてもよい。
このように加熱部２１を用いて中心孔４ａ，４ｂの乾燥硬化を行い、ロールペーパー１ａに形崩れ等が起きない程度の剛性を生じさせる。
【００２６】
以上のように芯なしのロールペーパー１，１ａを製造するとき、ロール中心に形成される中心孔について、開口端部を最も硬化させ、ペーパー２の幅方向において中央部分の接着力を弱める、もしくは無くすことにより、ロール状中心部分（ペーパー２の使い切り部分）においても、ペーパー２を剥離して使用することが可能になる。
【符号の説明】
【００２７】
１，１ａロールペーパー
２ペーパー
３，４ａ，４ｂ中心孔
３ａ，３ｂ孔端部
１０，２０接着剤噴射部
１０ａ，１０ｂ，２０ａ，２０ｂ挿入端部
１１，２１加熱部
１１ａ，１１ｂ，２１ａ，２１ｂ加熱先端部
【図１】
2018139723.tif 000003
【図２】
2018139723.tif 000004
【図３】
2018139723.tif 000005
【図４】
2018139723.tif 000006
【図５】
2018139723.tif 000007